(57)【要約】【課題】利用者の操作あるいは電源容量の低下によって通信端末装置の電源が遮断した状態であっても特定の通信端末装置の位置情報を取得することができ、位置情報を取得したい特定の通信端末装置の電源状態を他の通信端末装置が予め監視及び遠隔制御を可能にする通信端末装置及び通信システムを提供すること。【解決手段】通信端末装置１００の主制御部１０１は、自身がマスタ端末である場合には他の通信端末装置（スレーブ端末）の電源を遮断する電源遮断要求信号を送信する電源制御を行うとともに、自身がスレーブ端末である場合には他の通信端末装置（マスタ端末）から送信される電源遮断要求信号を受信し、この電源遮断要求信号を受信した時に電源を遮断する電源制御を行うことで、通信端末装置の電源が利用者の操作あるいは電源容量の低下によって遮断されることを他の通信端末装置で監視又は制御する。【選択図】図１
2008085657.tif 000002
【特許請求の範囲】
【請求項１】
基地局の無線通信カバーエリア内に存在する複数の通信端末装置に対して、前記基地局を介して無線通信を行う通信端末装置であって、
他の通信端末装置の電源を遮断する電源遮断要求信号を送信する電源制御手段を備える通信端末装置。
【請求項２】
基地局の無線通信カバーエリア内に存在する複数の通信端末装置に対して、前記基地局を介して無線通信を行う通信端末装置であって、
他の通信端末装置から送信される電源遮断要求信号を受信する手段と、
前記電源遮断要求信号を受信した時に電源を遮断する電源制御手段と
を備える通信端末装置。
【請求項３】
前記電源制御手段は、前記他の通信端末装置に電源遮断の可否を問い合わせる電源遮断可否問合せ信号を送信する請求項１又は請求項２に記載の通信端末装置。
【請求項４】
前記他の通信端末装置から送信される電源遮断可否問合せ信号を受信する手段を備え、
前記電源制御手段は、前記電源遮断可否問合せ信号を受信したとき、前記電源遮断可否問合せ信号を送信した通信端末装置の電源遮断を許可又は禁止する電源遮断許可／禁止信号を送信する請求項１又は請求項２に記載の通信端末装置。
【請求項５】
前記電源制御手段は、前記他の通信端末装置の位置情報を取得する位置情報要求信号を送信する請求項１又は請求項２に記載の通信端末装置。
【請求項６】
前記電源制御手段は、前記他の通信端末装置から送信される前記位置情報要求信号を受信したとき、位置情報を送信することを許可又は禁止する位置情報送信許可／禁止信号を送信する請求項５記載の通信端末装置。
【請求項７】
前記電源制御手段は、利用者の通信端末装置操作による電源遮断時に、前記他の通信端末装置に対して電源が遮断される旨を通知する電源遮断情報信号を送信する請求項１又は請求項２に記載の通信端末装置。
【請求項８】
前記電源制御手段は、電源容量が完全に失われることによる電源遮断時に、前記他の通信端末装置に対して電源が遮断される旨を通知する電源遮断情報信号を送信する請求項１又は請求項２に記載の通信端末装置。
【請求項９】
基地局と、前記基地局の無線通信カバーエリア内に存在する複数の通信端末装置とを備える通信システムであって、
前記基地局は、前記通信端末装置から受信した信号を他の通信端末装置に送信する送信手段を備え、
前記通信端末装置は、前記他の通信端末装置の電源遮断又は電源接続を要求する時に電源遮断／接続要求信号を送信する電源制御手段
を備える通信システム。
【請求項１０】
基地局と、前記基地局の無線通信カバーエリア内に存在する複数の通信端末装置とを備える通信システムであって、
前記基地局は、前記通信端末装置から受信した信号を他の通信端末装置に送信する送信手段を備え、
前記通信端末装置は、前記他の通信端末装置から送信される電源遮断／接続要求信号を受信する手段と、
前記電源遮断／接続要求信号を受信した時に電源を遮断又は接続する電源制御手段と
を備える通信システム。
【請求項１１】
前記基地局は、前記通信端末装置と該通信端末装置の動作又は電源を遠隔制御可能な他の通信端末装置との組み合わせを記憶する記憶手段と、
前記記憶手段に記憶されている前記他の通信端末装置にのみ前記電源遮断／接続要求信号を送信する送信手段とを備える請求項９又は請求項１０に記載の通信システム。
【請求項１２】
前記基地局は、前記通信端末装置と該通信端末装置の動作を遠隔制御可能な他の通信端末装置との組み合わせを記憶する記憶手段と、
前記記憶手段に記憶されている前記他の通信端末装置にのみ電源遮断時に電源を遮断してもよいかを問い合わせる電源遮断可否問合せ信号を送信する送信手段とを備える請求項９又は請求項１０に記載の通信システム。
【請求項１３】
前記基地局は、前記通信端末装置と該通信端末装置の位置情報を取得可能な他の通信端末装置との組み合わせを記憶する記憶手段と、
前記記憶手段に記憶されている前記他の通信端末装置にのみ位置情報要求信号を送信する送信手段とを備える請求項９又は請求項１０に記載の通信システム。
【請求項１４】
前記基地局は、前記通信端末装置と該通信端末装置の位置情報と電源遮断情報通知信号を取得可能な他の通信端末装置との組み合わせを記憶する記憶手段と、
前記通信端末装置が前記電源遮断情報信号を送信した時に、前記記憶手段に記憶されている前記他の通信端末装置にのみ前記位置情報と前記電源遮断情報通知信号を送信する送信手段とを備える請求項９又は請求項１０に記載の通信システム。
【請求項１５】
前記基地局は、前記通信端末装置が送信した位置情報送信許可／禁止信号を受信する手段と、
前記位置情報送信許可／禁止信号を送信した通信端末装置の位置情報を、前記位置情報送信許可／禁止信号を送信した通信端末装置に送信する送信手段とを備える請求項９又は請求項１０に記載の通信システム。
【請求項１６】
前記基地局は、電源遮断情報信号を受信する手段と、
前記電源遮断情報信号を受信した時に予め決められた特定の通信端末装置に対して、前記電源遮断情報信号を送信した通信端末装置の位置情報と前記電源遮断情報信号を送信した通信端末装置の電源が遮断されることを通知する電源遮断情報通知信号を送信する送信手段とを備える請求項９又は請求項１０に記載の通信システム。
【請求項１７】
前記通信端末装置は、電源遮断時に電源を遮断してもよいかを問い合わせる電源遮断可否問合せ信号を送信する請求項９又は請求項１０に記載の通信システム。
【請求項１８】
前記通信端末装置は、前記電源遮断可否問合せ信号を受信する手段と、
前記電源遮断可否問合せ信号を送信した通信端末装置の電源遮断を許可する電源遮断許可信号を送信する手段を備える請求項９又は請求項１０に記載の通信システム。
【請求項１９】
前記通信端末装置は、前記電源遮断可否問合せ信号を受信する手段と、
前記電源遮断可否問合せ信号を送信した通信端末装置の電源遮断を禁止する電源遮断禁止信号を送信する手段を備える請求項９又は請求項１０に記載の通信システム。
【請求項２０】
前記通信端末装置は、自身の動作を遠隔制御可能な前記他の通信端末装置を制御可能通信端末装置として記憶する記憶手段を備える請求項９又は請求項１０に記載の通信システム。
【請求項２１】
前記通信端末装置は、自身の電源遮断可否を遠隔制御可能な前記他の通信端末装置を電源制御可能通信端末装置として記憶する記憶手段を備える請求項９又は請求項１０に記載の通信システム。
【請求項２２】
前記通信端末装置は、電源遮断時に位置情報と電源遮断情報通知信号を取得可能な他の通信端末装置を電源遮断監視可能通信端末装置として記憶する記憶手段を備える請求項９又は請求項１０に記載の通信システム。
【請求項２３】
前記通信端末装置は、前記他の通信端末装置の位置情報を取得したい時に位置情報要求信号を送信する手段を備える請求項９又は請求項１０に記載の通信システム。
【請求項２４】
前記通信端末装置は、位置情報要求信号を受信する手段と、
前記位置情報要求信号を送信した通信端末装置に、自身の位置情報取得を許可又は禁止する位置情報送信許可／禁止信号を送信する手段とを備える請求項９又は請求項１０に記載の通信システム。
【請求項２５】
前記通信端末装置は、利用者の端末操作による電源遮断時により電源が遮断されることを通知する電源遮断情報信号を送信する請求項９又は請求項１０に記載の通信システム。
【請求項２６】
前記通信端末装置は、電源容量が完全に失われることによる電源遮断時に電源が遮断されることを通知する電源遮断情報信号を送信する請求項９又は請求項１０に記載の通信システム。
【請求項２７】
前記通信端末装置は、周辺の撮像データを取得する撮像手段と、
利用者の端末操作による電源遮断時に撮像データを取得し、取得した撮像データを送信する手段とを備える請求項９又は請求項１０に記載の通信システム。
【請求項２８】
前記通信端末装置は、周辺の音データを取得する音取得手段と、
利用者の端末操作による電源遮断時に音データを取得し、取得した音データを送信する手段とを備える請求項９又は請求項１０に記載の通信システム。
【発明の詳細な説明】
【技術分野】
【０００１】
本発明は、ＰＨＳ（Personal Handy phone System）や携帯電話等の通信端末装置及び通信システムに係り、特に、通信端末装置が他の通信端末装置の電源状態を監視及び遠隔制御すること及び位置情報等を取得することを可能にする通信端末装置及び通信システムに関する。
【背景技術】
【０００２】
近年、ＰＨＳや携帯電話機等の通信端末装置は、時間と場所を問わずに会話ができる利便性に加え、メール送受信機能や電子マネー決済等の多機能化が進み、急速に普及した。
【０００３】
通信端末装置は、通話やデータ通信等の使用中以外にも近傍の基地局と間欠通信を行うが、これについて説明する。
【０００４】
図１２は、通信端末装置と基地局及び各基地局の通信カバーエリアを示した通信システムの概略構成図である。
【０００５】
図１２において、通信システムは、通信端末装置１０と、基地局１１〜１３とからなり、基地局１１〜１３はそれぞれ通信カバーエリア１４〜１６を有する。図１２に示す状態のとき、通信端末装置１０は、基地局１１の通信カバーエリア１４に存在しているので、基地局１１と間欠通信を行う。この間欠通信によって、通信端末装置１０は基地局１１の通信カバーエリア１４に存在することを通信システムの管理者が確認でき、ＧＰＳ（Global Positioning System）機能を搭載していない通信端末装置であっても、その位置情報を把握することができる。また、携帯情報端末と位置判定端末を用い、位置判定端末からの情報を携帯情報端末に提示するシステムとして、汎用ＰＤＡ（Personal Digital Assistants）にＧＰＳを装着することにより、ＧＰＳからの位置情報をＰＤＡに表示するというものがある。
【０００６】
また、通信端末装置の位置情報を取得するための他の方法として通信端末装置を遠隔制御する方法が開示されている（例えば、特許文献１、特許文献２、特許文献３参照。）。取得した位置情報は、犯罪等の緊急事態解決に際して有用な情報となることも少なくない。
【特許文献１】特開２００２−３３８２２号公報
【特許文献２】特開２００１−２１８２６４号公報
【特許文献３】特開２００１−８２５８号公報
【発明の開示】
【発明が解決しようとする課題】
【０００７】
しかしながら、このような従来の通信端末装置にあっては、通信端末装置の電源が遮断した状態では位置情報を取得できないという問題がある。
【０００８】
すなわち、通信端末装置は、利用者が通話やデータ通信などを利用していなくても基地局と間欠通信をすることで、通信端末装置の位置情報を知ることができる。しかし、通信端末装置の電源が遮断されていると間欠通信が行われず、携帯端末の位置情報を把握することができない。
【０００９】
本発明は、上記に鑑みてなされたものであり、利用者の操作あるいは電源容量の低下によって通信端末装置の電源が遮断した状態であっても特定の通信端末装置の位置情報を取得することができ、位置情報を取得したい特定の通信端末装置の電源状態を他の通信端末装置が予め監視及び遠隔制御を可能にする通信端末装置及び通信システムを提供することを目的とする。
【００１０】
また、本発明は、位置情報等が取得される通信端末装置が、位置情報等を取得しようとする通信端末装置に対してその位置情報等を報知することなしに、電源が遮断してしまうことを未然に防ぐことができる通信端末装置及び通信システムを提供することを目的とする。
【課題を解決するための手段】
【００１１】
本発明の通信端末装置は、基地局の無線通信カバーエリア内に存在する複数の通信端末装置に対して、前記基地局を介して無線通信を行う通信端末装置であって、他の通信端末装置の電源を遮断する電源遮断要求信号を送信する電源制御手段を備える構成を採る。
【００１２】
本発明の通信端末装置は、基地局の無線通信カバーエリア内に存在する複数の通信端末装置に対して、前記基地局を介して無線通信を行う通信端末装置であって、他の通信端末装置から送信される電源遮断要求信号を受信する手段と、前記電源遮断要求信号を受信した時に電源を遮断する電源制御手段とを備える構成を採る。
【００１３】
本発明の通信システムは、基地局と、前記基地局の無線通信カバーエリア内に存在する複数の通信端末装置とを備える通信システムであって、前記基地局は、前記通信端末装置から受信した信号を他の通信端末装置に送信する送信手段を備え、前記通信端末装置は、前記他の通信端末装置の電源遮断又は電源接続を要求する時に電源遮断／接続要求信号を送信する電源制御手段を備える構成を採る。
【００１４】
本発明の通信システムは、基地局と、前記基地局の無線通信カバーエリア内に存在する複数の通信端末装置とを備える通信システムであって、前記基地局は、前記通信端末装置から受信した信号を他の通信端末装置に送信する送信手段を備え、前記通信端末装置は、前記他の通信端末装置から送信される電源遮断／接続要求信号を受信する手段と、前記電源遮断／接続要求信号を受信した時に電源を遮断又は接続する電源制御手段とを備える構成を採る。
【発明の効果】
【００１５】
本発明によれば、スレーブ端末自体の操作による電源遮断を禁止し、マスタ端末からの遠隔電源遮断のみを可能にすることにより、マスタ端末の知らない間にスレーブ端末の電源が切れていることが原因となって、マスタ端末から位置情報等の取得ができない事態を未然に防ぐことができる効果がある。
【００１６】
また、本発明によれば、スレーブ端末の電源を遮断する時に、必ずマスタ端末の許可を必要とすることで、マスタ端末の知らない間にスレーブ端末の電源が切れていることが原因となって、マスタ端末から位置情報等の取得ができない事態を未然に防ぐことができる効果がある。
【００１７】
また、本発明によれば、マスタ端末からの遠隔操作によって、スレーブ端末の電源が強制的に接続できることによって、スレーブ端末の電源遮断が原因となって、マスタ端末から位置情報等の取得ができない事態を避けることができる効果がある。
【００１８】
また、本発明によれば、マスタ端末からの遠隔操作によって、スレーブ端末を近傍の基地局と強制的に通信させることを可能にすることで、スレーブ端末の位置情報をマスタ端末が必要な時に取得できる効果がある。
【００１９】
また、本発明によれば、スレーブ端末の電源の残容量がある一定のレベル以下になった時、若しくはスレーブ端末自体の操作によって電源が遮断される時に、スレーブ端末を近傍の基地局と強制的に通信させたり、周辺情報を取得させたりすることを可能にすることで、スレーブ端末がマスタ端末の知らない間に電源が遮断してしまうことを未然に防ぐことができる。
【発明を実施するための最良の形態】
【００２０】
以下、本発明の実施の形態について図面を参照して詳細に説明する。
【００２１】
（実施の形態１）
実施の形態１は、スレーブ端末電源がそれ自身の直接操作では遮断できず、マスタ端末の遠隔電源遮断要求でのみ可能にする例である。
【００２２】
図１は、本発明の実施の形態１に係る通信端末装置の構成ブロック図である。通信システムとして、基地局とこの基地局の無線通信カバーエリア内に存在する複数の通信端末装置とを備える通信システムに適用した例である。また、実施の形態１に係る通信端末装置を用いた通信システムの概略構成は、図１２に示した従来の構成と同様である。
【００２３】
図１において、通信端末装置１００は、Ｗｅｂ閲覧機能もしくは電子メールの受信機能を持つ携帯電話機やＰＨＳ、またそれらを内蔵又は装着したＰＤＡであり、基地局を介して他の通信端末装置とデータを送受信できる。
【００２４】
通信端末装置１００は、本装置全体を制御するＣＰＵからなる主制御部１０１、マスタ端末の識別番号等を記憶する記憶部１０２、電波を送受信するアンテナ１０３、アンテナ１０３を介して電波を送受信して無線通信を行う送信部１０４及び受信部１０５、ユーザからのキー操作情報を入力生成する操作部１０６、操作のためのガイダンスや受信情報、撮像した画像をカラー表示するＬＣＤディスプレイ等からなる表示部１０７、対象となる画像情報を入力するカメラからなる撮像部１０８、受信データ，送信データ及び撮像部１０８により撮像された画像を信号処理する信号処理部１０９、音声信号を入力するマイク１１０、音響信号を出力するスピーカ１１１、及び通信端末装置１００の電源を制御する電源制御部１１２を備えて構成される。
【００２５】
主制御部１０１は、ＣＰＵからなり通信端末装置１００全体を制御するとともに、自身がマスタ端末である場合には他の通信端末装置（スレーブ端末）の電源を遮断する電源遮断要求信号を送信する電源制御を行う。また、自身がスレーブ端末である場合には他の通信端末装置（マスタ端末）から送信される電源遮断要求信号を受信し、この電源遮断要求信号を受信した時に電源を遮断する電源制御を行う。
【００２６】
記憶部１０２は、制御プログラムや固定データ等を記憶するＲＯＭ，ＣＰＵの作業用記憶領域であるＲＡＭ等の半導体メモリ及びハードディスクなどからなり受信又は入力された文字情報，画像情報，音声信号を記憶する。ＲＯＭは、主制御部１０１が動作する際に必要なプログラム、通信制御データ等の固定データを記憶する読出し専用の半導体メモリである。ＲＡＭは、表示や通信に関するデータ、演算に使用するデータ及び演算結果等を一時的に記憶するいわゆるワーキングメモリとして使用される。通信端末装置１００で処理されるプログラムは、このＲＡＭに展開されて実行される。また、ＲＡＭの一部は、電気的に書換可能な不揮発性メモリであるＥＥＰＲＯＭ（electrically erasable programmable ROM）からなり、ＥＥＰＲＯＭに書き込むプログラムを変えることによって、特に通信端末装置１００における各種の仕様を変更することができる。
【００２７】
記憶部１０２には、自身の動作又は電源遮断可否を遠隔制御可能な他の通信端末装置（マスタ端末）の識別番号を記憶する。また、電源遮断時に位置情報と電源遮断情報通知信号を取得可能な他の通信端末装置（マスタ端末）を記憶する。
【００２８】
送信部１０４及び受信部１０５は、基地局を経由して、複数の他の通信端末装置と無線で通信する。
【００２９】
操作部１０６は、着信，発信，電話機能切り替え，動作決定等を行う電話機能キー、各種機能を切り替えるためのモードキー、上下左右の方向に選択対象を移動させるカーソルキー、カメラの入力を決定するシャッターボタンであるシャッターキー、及び電話番号の入力等ダイヤルするためのメンブレンキー（Membrane key）からなるダイヤルキーから構成される。また、通信端末装置１００が、ＰＤＡである場合はタッチパネルやキーボード、携帯電話機であればキー，ジョグダイヤル等のユーザ端末に対して入力を行う入力装置である。
【００３０】
表示部１０７は、ドットマトリクス構成のＬＣＤディスプレイ，バックライトであるＰＤＰ，ＥＬ及び各ドライバ等で構成される。表示部１０７には、撮影時、撮像部１０８から入力される画像情報が表示され、非撮影時には操作部１０６から入力された番号や非電話機能のための各種画面、電話機能の動作状態を示すアイコン等が表示される。さらに、待機時には時刻が表示され、個人情報やシステムの状態などを表示する。
【００３１】
撮像部１０８は、カメラ付き携帯電話機などの通信端末装置１００に内蔵された例えば４００万画素のＣＣＤ（Charge Coupled Device）（エリア型固体撮像素子）カメラである。
【００３２】
図２は、通信システムを構成するマスタ端末とスレーブ端末及び基地局の概略構成を示す図である。
【００３３】
図２において、通信システムは、複数の通信端末装置１００Ａ，１００Ｂと、各通信端末装置１００Ａ，１００Ｂの通信を制御する基地局２００とから構成される。通信端末装置１００Ａ，１００Ｂは、図１の通信端末装置１００と同一構成を採る。図２では、通信端末装置１００Ａはマスタ端末、通信端末装置１００Ｂはスレーブ端末である。
【００３４】
通信端末装置１００Ａ（マスタ端末）は、基地局２００を介した遠隔制御によって通信端末装置１００Ｂ（スレーブ端末）の電源状態を制御する。また、通信端末装置１００Ｂ（スレーブ端末）は、通信端末装置１００Ａ（マスタ端末）の遠隔制御によって電源が制御される。
【００３５】
基地局２００は、通信端末装置から受信した信号を他の通信端末装置に送信する。この基本機能に加えて、基地局２００は、通信端末装置と該通信端末装置の動作又は電源を遠隔制御可能な他の通信端末装置との組み合わせを記憶し、他の通信端末装置にのみ電源遮断／接続要求信号を送信する、また、他の通信端末装置にのみ電源遮断時に電源を遮断してもよいかを問い合わせる電源遮断可否問合せ信号を送信する態様でもよい。また、通信端末装置と該通信端末装置の位置情報を取得可能な他の通信端末装置との組み合わせを記憶し、他の通信端末装置にのみ位置情報要求信号を送信する、あるいは、通信端末装置が前記電源遮断情報信号を送信した時に、他の通信端末装置にのみ前記位置情報と前記電源遮断情報通知信号を送信する態様でもよい。さらに、位置情報送信許可／禁止信号を送信した通信端末装置の位置情報を、位置情報送信許可／禁止信号を送信した通信端末装置に送信する、また、電源遮断情報信号を受信した時に予め決められた特定の通信端末装置に対して、電源遮断情報信号を送信した通信端末装置の位置情報と前記電源遮断情報信号を送信した通信端末装置の電源が遮断されることを通知する。
【００３６】
以下、上述のように構成された通信端末装置を備える通信システムの動作を説明する。
【００３７】
図３は、通信端末装置１００Ｂ（スレーブ端末）における電源遮断時の処理を示すフローチャートであり、主制御部１０１により実行される。図中、Ｓはフローの各ステップを示す。
【００３８】
まず、ステップＳ１で通信端末装置１００Ｂ（スレーブ端末）は、通信端末装置１００Ｂ自体の電源遮断要求、又は他の端末からの遠隔電源遮断要求のいずれかの電源遮断処理開始要求を待つ。いま、遠隔電源遮断要求を発行する他の端末は、通信端末装置１００Ａ（マスタ端末）であるとする。通信端末装置１００Ｂ自体の電源遮断操作、又は基地局２００を介して受信される通信端末装置１００Ａからの遠隔電源遮断要求があった場合、ステップＳ２で通信端末装置１００Ｂは自身がスレーブ端末であるか否かを確認する。
【００３９】
通信端末装置１００Ｂがスレーブ端末であるとき、ステップＳ３で電源遮断処理開始要求が通信端末装置１００Ａからの遠隔電源遮断要求であるか否かを確認する。上記ステップＳ３で電源遮断処理開始要求が通信端末装置１００Ａからの遠隔電源遮断要求でなかった場合、電源遮断処理開始要求は無視され、上記ステップＳ１の電源遮断処理開始要求を待つ状態に戻る。
【００４０】
上記ステップＳ３で電源遮断処理開始要求が通信端末装置１００Ａからの遠隔電源遮断要求であった場合、ステップＳ４で遠隔電源遮断要求信号を送信した通信端末装置１００Ａがマスタ端末であるか確認する。遠隔電源遮断要求信号を送信した通信端末装置１００Ａがマスタ端末でなかったとき、電源遮断処理開始要求は無視され、上記ステップＳ１の電源遮断処理開始要求を待つ状態に戻る。
【００４１】
上記ステップＳ４で遠隔電源遮断要求信号を送信した通信端末装置１００Ａがマスタ端末であった場合、通信端末装置１００Ｂの電源が遮断される（ステップＳ５）。
【００４２】
一方、上記ステップＳ２で通信端末装置１００Ｂがスレーブ端末でなかったとき、ステップＳ６で電源遮断処理開始要求が通信端末装置１００Ｂの電源遮断操作であるか確認する。上記ステップＳ６で電源遮断処理開始要求が通信端末装置１００Ｂの電源遮断操作でなかった場合、電源遮断処理開始要求は無視され、上記ステップＳ１の電源遮断処理開始要求を待つ状態に戻る。
【００４３】
上記ステップＳ６で電源遮断処理開始要求が通信端末装置１００Ｂの電源遮断操作であった場合、通信端末装置１００Ｂの電源が遮断される（ステップＳ５）。
【００４４】
以上詳細に説明したように、本実施の形態によれば、通信端末装置１００の主制御部１０１は、自身がマスタ端末である場合には他の通信端末装置（スレーブ端末）の電源を遮断する電源遮断要求信号を送信する電源制御を行うとともに、自身がスレーブ端末である場合には他の通信端末装置（マスタ端末）から送信される電源遮断要求信号を受信し、この電源遮断要求信号を受信した時に電源を遮断する電源制御を行うので、通信端末装置の電源が利用者の操作あるいは電源容量の低下によって遮断されることを他の通信端末装置で監視又は制御することができ、通信端末装置の電源が知らない間に遮断されていることで位置情報を把握できないことを未然に防ぐことができる。
【００４５】
すなわち、他の通信端末装置によって位置情報等を取得される通信端末装置（スレーブ端末）の電源が、スレーブ端末自体の操作で遮断することを禁止し、位置情報等を取得する通信端末装置（マスタ端末）の遠隔操作でスレーブ端末の電源遮断を可能にすることで、スレーブ端末の電源が切れていることが原因となって、マスタ端末から位置情報等の取得ができない事態を未然に防ぐことができる。
【００４６】
なお、上記フローによる確認方法では、予め通信端末装置１００の記憶されている情報を確認してもよいし、通信システム全体のデータを管理する図示しないデータベースへ基地局２００を介して問い合わせてもよい。さらに、通信端末装置１００は、スレーブ端末専用であって、上記ステップＳ２の処理のスレーブ端末であるかの確認は省略してもよい。また、通信端末装置１００Ａの遠隔電源遮断要求信号は、通信端末装置１００Ｂの電源接続を要求する遠隔電源接続要求信号であってもよい。
【００４７】
（実施の形態２）
実施の形態２は、スレーブ端末電源がそれ自身の直接操作だけでは遮断できず、無線通信によってマスタ端末に電源遮断許可を問い合わせることを必要とする例である。
【００４８】
本発明の実施の形態２に係る通信端末装置のハード構成は、図１に示した実施の形態１に係る通信端末装置の構成と同様である。
【００４９】
図４は、マスタ端末とスレーブ端末及び基地局の概略構成を示す図である。図２と同一構成部分には同一符号を付している。
【００５０】
図４において、通信システムは、複数の通信端末装置１００Ａ，１００Ｂと、各通信端末装置１００Ａ，１００Ｂの通信を制御する基地局２００とから構成される。通信端末装置１００Ａ（マスタ端末）は、基地局２００を介した通信によって通信端末装置１００Ｂ（スレーブ端末）の電源状態を制御する。通信端末装置１００Ｂ（スレーブ端末）は、通信端末装置１００Ａ（マスタ端末）の遠隔制御によって電源が制御される。
【００５１】
以下、上述のように構成された通信端末装置を備える通信システムの動作を説明する。
【００５２】
図５は、通信端末装置１００Ｂ（スレーブ端末）における電源遮断時の処理を示すフローチャートであり、主制御部１０１により実行される。
【００５３】
まず、ステップＳ１１で通信端末装置１００Ｂ（スレーブ端末）は、通信端末装置自体の操作による電源遮断要求を待つ。通信端末装置自体の操作による電源遮断要求があった場合、ステップＳ１２で通信端末装置１００Ｂは自身がスレーブ端末であるか否かを確認する。通信端末装置１００Ｂがスレーブ端末であるとき、ステップＳ１３で通信端末装置１００Ｂは基地局を介して電源状態を制御する通信端末装置１００Ａ（マスタ端末）へ電源を遮断してもよいかを問い合わせる電源遮断可否問合せ信号を送信する。
【００５４】
通信端末装置１００Ｂは電源遮断可否問合せ信号を送信した後、ステップＳ１４で通信端末装置１００Ａ（マスタ端末）からの電源遮断を許可する電源遮断許可信号、又は電源遮断を禁止する電源遮断禁止信号を受信するまで待つ。
【００５５】
通信端末装置１００Ｂは通信端末装置１００Ａ（マスタ端末）からの電源遮断許可信号又は電源遮断禁止信号を受信した場合、ステップＳ１５で受信した信号が電源遮断許可信号であるか否かを確認する。受信した信号が通信端末装置１００Ａ（マスタ端末）からの電源遮断許可信号であった場合、ステップＳ１６で通信端末装置１００Ｂの電源が遮断される。
【００５６】
一方、上記ステップＳ１５で受信した信号が通信端末装置１００Ａ（マスタ端末）からの電源遮断許可信号でなかった、すなわち電源遮断禁止信号であった場合、通信端末装置１００Ｂの操作による電源遮断要求は無視され、上記ステップＳ１１の電源遮断要求待ち状態に戻る。また、上記ステップＳ１２で通信端末装置１００Ｂがスレーブ端末でなかった場合、直ちに通信端末装置１００Ｂの電源が遮断される。
【００５７】
本実施の形態によれば、実施の形態１の効果に加えて、スレーブ端末の電源を遮断する時に、マスタ端末の許可を必要とすることで、スレーブ端末の電源が切れていることが原因となって、マスタ端末から位置情報等の取得ができない事態を未然に防ぐことができる。
【００５８】
なお、上記フローによるスレーブ端末確認方法では、予め通信端末装置の記憶されている情報を確認してもよいし、通信システム全体のデータを管理するデータベースへ基地局を介して問い合わせてもよい。さらに、通信端末装置１００はスレーブ端末専用であって、上記ステップＳ１２の処理のスレーブ端末であるかの確認は省力してもよい。また、上記ステップＳ１４の処理で通信端末装置１００Ｂが受信する電源遮断可否信号又は電源遮断禁止信号の変調方法や暗号化方法などの送信方法とその送信データは、電源遮断許可信号及び電源遮断禁止信号の区別が付けば如何なる方法であってもよい。
【００５９】
（実施の形態３）
実施の形態３は、マスタ端末が要求によってスレーブ端末の位置情報取得を行う例である。
【００６０】
図６は、マスタ端末とスレーブ端末及び基地局の概略構成を示す図である。図２と同一構成部分には同一符号を付している。
【００６１】
図６において、通信システムは、各通信端末装置１００Ａ，１００Ｂの通信を制御する基地局２００と、基地局２００を介した通信によって通信端末装置１００Ｂ（スレーブ端末）の位置情報を取得する通信端末装置１００Ａ（マスタ端末）と、通信端末装置１００Ａの通信によって位置情報が取得される通信端末装置１００Ｂ（スレーブ端末）とを備えて構成される。
【００６２】
以下、上述のように構成された通信端末装置を備える通信システムの動作を説明する。
【００６３】
図７は、通信端末装置１００Ｂ（スレーブ端末）における電源遮断時の処理を示すフローチャートであり、通信端末装置１００Ｂ（スレーブ端末）における位置情報取得時の処理を示す。
【００６４】
まず、ステップＳ２１で通信端末装置１００Ｂは、通信端末装置１００Ａが通信端末装置１００Ｂの位置情報取得を要求する位置情報要求信号を待つ。ステップＳ２２で通信端末装置１００Ｂは位置情報要求信号を受信すると、位置情報要求信号を送信した通信端末装置１００Ａがマスタ端末であるか確認する。通信端末装置１００Ａがマスタ端末であるとき、ステップＳ２３で通信端末装置１００Ｂは通信端末装置１００Ａが通信端末装置１００Ｂの位置情報取得を許可する位置情報送信許可信号を送信してステップＳ２１に戻る。この位置情報送信許可信号は、通信端末装置１００Ａに通信端末装置１００Ｂの位置情報が基地局２００を介して送信される。
【００６５】
上記ステップＳ２２で位置情報要求信号を送信した通信端末装置１００Ａがマスタ端末でないとき、ステップＳ２４で通信端末装置１００Ｂは通信端末装置１００Ａが通信端末装置１００Ｂの位置情報取得を禁止する位置情報送信禁止信号を送信して、上記ステップＳ２１の位置情報要求信号待ち状態に戻る。この時は、通信端末装置１００Ａに通信端末装置１００Ｂの位置情報が送信されない。
【００６６】
本実施の形態によれば、マスタ端末が要求によってスレーブ端末の位置情報取得を行うので、必要な時に特定の通信端末装置の位置情報等を取得することができる。また、位置情報等を取得される通信端末装置が、位置情報等を取得しようとする通信端末装置に対してその位置情報等を報知することなしに、電源が遮断してしまうことを未然に防ぐことができる。
【００６７】
なお、上記フローによるマスタ端末確認方法は、予め通信端末装置の記憶されている情報を確認してもよいし、通信システム全体のデータを管理するデータベースへ基地局を介して問い合わせてもよい。また、通信端末装置１００Ａが送信した位置情報要求信号を基地局２００によってスレーブ端末にのみ送信されるように制御することで、上記ステップＳ２２の処理で実施されるマスタ端末確認を省略してもよい。
【００６８】
（実施の形態４）
実施の形態４は、スレーブ端末の電源の残容量がある一定のレベル以下になった時、若しくはスレーブ端末自体の操作によって電源が遮断される時に、強制的にスレーブ端末と基地局との間に強制的に通信をさせ、マスタ端末へスレーブ端末の位置情報と電源が遮断されるメッセージを伝える例である。
【００６９】
図８は、マスタ端末とスレーブ端末及び基地局の概略構成を示す図である。図２と同一構成部分には同一符号を付している。
【００７０】
図８において、通信システムは、各通信端末装置１００Ａ，１００Ｂの通信を制御する基地局２００と、通信端末装置１００Ｂ（スレーブ端末）の電源遮断情報や位置情報を取得する通信端末装置１００Ａ（マスタ端末）と、通信端末装置１００Ａによって電源遮断情報や位置情報が取得される通信端末装置１００Ｂとを備えて構成される。
【００７１】
以下、上述のように構成された通信端末装置を備える通信システムの動作を説明する。
【００７２】
図９は、通信端末装置１００Ｂ（スレーブ端末）における電源遮断時の処理を示すフローチャートであり、通信端末装置１００Ｂ（スレーブ端末）における電源遮断時の処理を示す。
【００７３】
まず、ステップＳ３１で通信端末装置１００Ｂは、通信端末装置１００Ｂの操作による電源遮断要求、又は電源の残容量が一定レベル以下になるのを待つ。通信端末装置１００Ｂの操作による電源遮断要求があった場合、若しくは電源の残容量が一定レベル以下になった場合、ステップＳ３２で通信端末装置１００Ｂは通信端末装置１００Ａに電源遮断する旨を通知する。この時、基地局２００は通信端末装置１００Ｂから送信される電源遮断情報に加えて、通信端末装置１００Ｂの位置情報を通信端末装置１００Ａに送信する。
【００７４】
ステップＳ３３で通信端末装置１００Ｂは通信端末装置１００Ａに電源遮断情報を送信した後、電源を遮断する。
【００７５】
本実施の形態によれば、マスタ端末からの遠隔操作によって、スレーブ端末の電源が強制的にＯＮ状態にすることを可能にすることによって、スレーブ端末の電源が切れていることが原因となって、マスタ端末から位置情報等の取得ができない事態を避けることができる。
【００７６】
また、マスタ端末からの遠隔操作によって、スレーブ端末を近傍の基地局と強制的に通信させたり、スレーブ端末の撮像装置を起動させて撮像データを取得し、送信させたりすることで、スレーブ端末の位置情報や周辺情報をマスタ端末が必要な時に取得することを可能にする。
【００７７】
さらに、スレーブ端末の電源の残容量がある一定のレベル以下になった時、若しくはスレーブ端末自体の操作によって電源が遮断される時に、スレーブ端末を近傍の基地局と強制的に通信させることで、スレーブ端末がその位置情報等をマスタ端末に通知することなしに、電源が遮断してしまうことを未然に防ぐことができる。
【００７８】
なお、通信端末装置１００Ｂが電源遮断情報を送信する電源の残容量レベルの設定方法は、例えば、通信端末装置１００Ｂの操作、あるいは通信端末装置１００Ａの遠隔操作、あるいはそれらの両方で設定できるという方法が挙げられる。また、通信端末装置１００Ｂのマスタ端末が通信端末装置１００Ａであるという情報は、通信端末装置１００Ｂに予め記憶されていてもよいし、通信システム全体のデータを管理するデータベースで管理されていてもよい。
【００７９】
（実施の形態５）
実施の形態５は、スレーブ端末の電源の残容量がある一定のレベル以下になった時、若しくはスレーブ端末自体の操作によって電源が遮断される時に、スレーブ端末の撮像部が起動して周辺状況の撮像を行い、撮像情報をマスタ端末へ送信する例である。
【００８０】
図１０は、マスタ端末とスレーブ端末及び基地局の概略構成を示す図である。図２と同一構成部分には同一符号を付している。
【００８１】
図１０において、通信システムは、各通信端末装置１００Ａ，１００Ｂの通信を制御する基地局２００と、通信端末装置１００Ｂ（スレーブ端末）の電源遮断情報や周辺情報を取得する通信端末装置１００Ａ（マスタ端末）と、通信端末装置１００Ａによって電源遮断情報や周辺情報が取得される通信端末装置１００Ｂとを備えて構成される。
【００８２】
以下、上述のように構成された通信端末装置を備える通信システムの動作を説明する。
【００８３】
図１１は、通信端末装置１００Ｂ（スレーブ端末）における電源遮断時の処理を示すフローチャートであり、通信端末装置１００Ｂ（スレーブ端末）における電源遮断情報送信処理を示す。
【００８４】
まず、ステップＳ４１で通信端末装置１００Ｂは、通信端末装置１００Ｂの操作による電源遮断要求、又は電源の残容量が一定レベル以下になるのを待つ。通信端末装置１００Ｂの操作による電源遮断要求があった場合、若しくは電源の残容量が一定レベル以下になった場合、ステップＳ４２で周辺情報を取得する。周辺情報の取得方法には、例えば、撮像部１０８（図１）による周辺状況の撮像やマイク１１０（図１）による周辺状況の録音などが挙げられる。周辺情報取得後、ステップＳ４３で通信端末装置１００Ｂは通信端末装置１００Ｂの電源が遮断される電源遮断情報を通信端末装置１００Ａに通知するとともに、前記周辺情報を通信端末装置１００Ａに送信する。図１０には、電源の残容量がなくなることによる電源遮断情報（図１０ａ.参照）と、周辺状況を撮像した周辺情報（図１０ｂ.参照）を模式化して表している。周辺情報及び電源遮断情報送信後、ステップＳ４４で通信端末装置１００Ｂは電源を遮断する。
【００８５】
なお、上記ステップＳ４３で基地局２００は通信端末装置１００Ｂから送信される電源遮断情報や電源遮断情報に加えて、通信端末装置１００Ｂの位置情報を通信端末装置１００Ａに送信してもよい。
【００８６】
本実施の形態によれば、スレーブ端末自体の操作によって電源が遮断される時に、スレーブ端末を近傍の基地局と強制的に通信させたり、スレーブ端末の撮像装置を起動させて撮像データを取得し、送信させたりすることで、スレーブ端末がその位置情報等をマスタ端末に通知することなしに、電源が遮断してしまうことを未然に防ぐことができる。
【００８７】
以上の説明は本発明の好適な実施の形態の例証であり、本発明の範囲はこれに限定されることはない。
【００８８】
また、上記各実施の形態では、ＰＨＳや携帯電話等の通信端末装置について説明したが、これは一例であって基地局を介して無線通信を行うものであればどのような装置にも適用可能であり、通信方式の種類・数は限定されない。また、基地局及び通信端末装置の数についても同様である。
【００８９】
また、上記各実施の形態では、通信端末装置１００が、通信端末装置１００Ｂ（スレーブ端末）又は通信端末装置１００Ａ（マスタ端末）である例について説明したが、マスタ／スレーブいずれか一方の機能を持つ端末であってもよく、携帯電話機などの通信端末装置１００とは異なる端末（例えばＰＤＡ，専用通信端末など）であってもよい。
【００９０】
また、上記実施の形態では、通信システム、通信端末装置、マスタ端末、スレーブ端末という名称を用いたが、これは説明の便宜上であり、携帯電話機、無線端末、移動体通信システム等でもよいことは勿論である。
【００９１】
さらに、上記通信端末装置及び通信システムを構成する各部、例えば送信部、受信部、記憶部の種類、その数及び接続方法などはどのようなものでもよい。
【００９２】
以上説明した通信端末装置及び通信システムは、この通信端末装置及び通信システムを機能させるためのプログラムでも実現される。このプログラムはコンピュータで読み取り可能な記録媒体に格納されている。
【産業上の利用可能性】
【００９３】
本発明に係る通信端末装置及び通信システムは、基地局の無線通信カバーエリア内に存在する複数の通信端末装置を備える通信システムに有用である。
【図面の簡単な説明】
【００９４】
【図１】本発明の実施の形態１に係る通信端末装置の構成ブロック図
【図２】上記実施の形態に係る通信システムを構成するマスタ端末とスレーブ端末及び基地局の概略構成を示す図
【図３】上記実施の形態に係る通信システムのスレーブ端末における電源遮断時の処理を示すフロー図
【図４】本発明の実施の形態２に係る通信システムのマスタ端末とスレーブ端末及び基地局の概略構成を示す図
【図５】上記実施の形態に係る通信システムのスレーブ端末における電源遮断時の処理を示すフロー図
【図６】本発明の実施の形態３に係る実施の形態に係る通信システムのマスタ端末とスレーブ端末及び基地局の概略構成を示す図
【図７】上記実施の形態に係る通信システムのスレーブ端末における電源遮断時の処理を示すフロー図
【図８】本発明の実施の形態４に係る実施の形態に係る通信システムのマスタ端末とスレーブ端末及び基地局の概略構成を示す図
【図９】上記実施の形態に係る通信システムのスレーブ端末における電源遮断時の処理を示すフロー図
【図１０】本発明の実施の形態５に係る実施の形態に係る通信システムのマスタ端末とスレーブ端末及び基地局の概略構成を示す図
【図１１】上記実施の形態に係る通信システムのスレーブ端末における電源遮断時の処理を示すフロー図
【図１２】従来の通信端末装置と基地局及び各基地局の通信カバーエリアを示した通信システムの概略構成図
【符号の説明】
【００９５】
１００  通信端末装置
１００Ａ  マスタ端末
１００Ｂ  スレーブ端末
１０１  主制御部
１０２  記憶部
１０３  アンテナ
１０４  送信部
１０５  受信部
１０６  操作部
１０７  表示部
１０８  撮像部
１０９  信号処理部
１１０  マイク
１１１  スピーカ
１１２  電源制御部
２００  基地局
【図１】
2008085657.tif 000003
【図２】
2008085657.tif 000004
【図３】
2008085657.tif 000005
【図４】
2008085657.tif 000006
【図５】
2008085657.tif 000007
【図６】
2008085657.tif 000008
【図７】
2008085657.tif 000009
【図８】
2008085657.tif 000010
【図９】
2008085657.tif 000011
【図１０】
2008085657.tif 000012
【図１１】
2008085657.tif 000013
【図１２】
2008085657.tif 000014